(57)【要約】  本発明は、変調された信号のデジタルデータの受信にデイトスタンピングする方法に関し、上記信号は、デジタル信号による搬送波又は副搬送波の変調から得られ、上記デジタル信号のシンボルのビットレートは、搬送波又は副搬送波の周波数の整数の約数Ｎであり、当該方法は、変調された信号の複数のサンプルｓｍ（ｋ）を位相ループによってコヒーレント復調して、複数の復調されたサンプルｓｄｍ（ｋ）と再構成された搬送波の位相とを取得するステップと、上記複数の復調されたサンプルｓｄｍ（ｋ）を、再構成された搬送波の同時位相φ（ｋ）と結合するステップと、再構成された搬送波の位相が所定の値φ０まで移行する複数のデイトを、搬送波がφ（ｋ）からφ０まで回転する間の時間シフトに従って、少なくとも１つのサンプルｓｍ（ｋ）の受信のデイトに対して相対的に求めるステップと、を含む。
2021535682.tif 000002
【特許請求の範囲】
【請求項１】
変調された信号のデジタルデータの受信のデイトスタンピングの方法であって、前記信号は、デジタル信号による搬送波又は副搬送波の変調から得られ、前記デジタル信号のシンボルレートは、前記搬送波又は副搬送波の周波数の整数の約数Ｎであり、当該方法は、遠隔通信受信器のプロセッサによって実行される以下のステップ、すなわち、前記変調された信号の受信及びサンプリングの後に、
前記変調された信号の複数のサンプルｓｍ（ｋ）を位相ループによってコヒーレント復調して、複数の復調されたサンプルｓｄｍ（ｋ）と再構成された搬送波の位相とを取得するステップと、
前記複数の復調されたサンプルｓｄｍ（ｋ）を、前記再構成された搬送波の同時位相φ（ｋ）と組み合わせるステップと、
前記再構成された搬送波の位相が所定の値φ０まで移行する複数のデイトを、前記搬送波がφ（ｋ）からφ０まで回転する間の時間オフセットに従って、少なくとも１つのサンプルｓｍ（ｋ）の受信のデイトに対して相対的に求めるステップと、
を含む、方法。
【請求項２】
前記コヒーレント復調するステップは、
ａ．  位相検出器により、受信した信号の変調を消去する位相誤差を検出するサブステップと、
ｂ．  前記位相誤差をローパスフィルタリングするサブステップと、
有する、請求項１に記載のデジタルデータの受信のデイトスタンピングの方法。
【請求項３】
φ０まで移行する前記複数のデイトを求めるステップにおいて、該デイトが、前記再構成された搬送波の位相のφ０への移行の直前又は直後にある前記変調された信号のサンプルｓｍ（ｋ）に対して計算される、請求項１又は２に記載のデジタルデータの受信のデイトスタンピングの方法。
【請求項４】
φ０への遷移の前記複数のデイトの中から、前記デジタル信号のシンボルの移行の時間に対応するシンボル移行デイトを選択するステップと、
検出された前記シンボル移行デイトから始めて、φ０への移行の前記複数のデイトを係数Ｎで間引くステップと、
前記間引くことから得られたφ０への移行のデイトに対応する複数の連続するシンボルの受信デイトを決定するステップと、
を更に有する請求項１乃至３のいずれか一項に記載のデジタルデータの受信のデイトスタンピングの方法。
【請求項５】
前記シンボル移行デイトを選択するステップは、前記信号の連続するＮ個のサンプルのウィンドウにわたって、前記復調されたサンプルｓｄｍ（ｋ）の積分Ｉ（ｎ）を行うサブステップを有する、請求項４に記載のデジタルデータの受信のデイトスタンピングの方法。
【請求項６】
前記積分Ｉ（ｎ）を行うサブステップは、φ０への移行に対応する前記復調された信号の各サンプルｓｄｍ（ｋ）で始まるシンボルの持続時間にわたって実行される、請求項５に記載のデジタルデータの受信のデイトスタンピングの方法。
【請求項７】
前記積分を行うサブステップはまた、
ｅ．  全てがｐモジュロＮの値を持つＮｓ個の値をとるｍについて、前記積分Ｉ（ｍ）の絶対値の平均値Ｍ（ｐ）の複数の連続したインデックスｐを計算することと
ｆ．  Ｍ（ｐ）を最大化するインデックスｐの、φ０への移行を選択することによって、前記シンボル移行デイトを決定することと、
を含む、請求項６に記載のデジタルデータの受信のデイトスタンピングの方法。
【請求項８】
前記シンボル移行デイトで始まる前記積分Ｉ（ｎ）の値が、前記デジタル信号の前記対応するシンボルを与える、請求項７に記載のデジタルデータの受信のデイトスタンピングの方法。
【請求項９】
前記検出されたシンボル移行に対して先行するφ０への移行にて計算されたＭの値Ｍ（ｎ−１）と、後続するφ０への移行にて計算されたＭの値Ｍ（ｎ＋１）との比較が、これらの値が実質的に等しくないが一方がＭ（ｎ）に実質的に等しい場合に、前記変調に関連する位相曖昧性を特徴付けることを可能にする、請求項７に記載のデジタルデータの受信のデイトスタンピングの方法。
【請求項１０】
前記位相曖昧性は、前記所定の移行位相φ０を別の値に修正することによって解消される、請求項９に記載のデジタルデータの受信のデイトスタンピングの方法。
【請求項１１】
当該方法はまた、前記シンボルをバイナリデータに復号することを含む、請求項４乃至９のいずれか一項に記載のデジタルデータの受信のデイトスタンピングの方法。
【請求項１２】
当該方法は更に、シンボル移行デイトから始めて、バイナリデータフレームの所定のサイズに等しい係数Ｑによる第２の間引きを行うことを有するフレーム同期ステップと、該間引きから得られたφ０への移行のデイトに対応する複数の連続したフレームの受信デイトを決定するステップとを含む、請求項１１に記載のデジタルデータの受信のデイトスタンピングの方法。
【請求項１３】
当前記フレーム同期ステップは更に、複数の連続したフレームの中から、決定されたパイロットシーケンスと最良の相関を有するフレームを選択するステップと、該選択したフレームの受信デイトを決定するステップとを含む、請求項１２に記載のデジタルデータの受信のデイトスタンピングの方法。
【請求項１４】
変調された無線信号を受信する遠隔通信受信器であって、前記信号は、デジタル信号による搬送波又は副搬送波の変調から得られ、前記デジタル信号のシンボルレートは、前記搬送波又は副搬送波の周波数の整数の約数Ｎであり、当該遠隔通信受信器は、
変調ユニットであり、前記変調された信号の受信及びサンプリングの後に、
前記変調された信号の複数のサンプルｓｍ（ｋ）を位相ループによってコヒーレント復調して、複数の復調されたサンプルｓｄｍ（ｋ）と再構成された搬送波の位相とを取得し、
前記複数の復調されたサンプルｓｄｍ（ｋ）を、前記再構成された搬送波の同時位相φ（ｋ）と組み合わせ、
前記再構成された搬送波の位相の所定の値φ０まで移行の複数のデイトを、少なくとも１つのサンプルｓｍ（ｋ）の受信デイトに対して相対的に求める、
ように構成された変調ユニット、
を有する、遠隔通信受信器。
【請求項１５】
当該遠隔通信受信器はまた、
同期ユニットであり、
φ０への遷移の前記複数のデイトの中から、前記デジタル信号のシンボルの移行の時間に対応するシンボル移行デイトを選択し、
検出された前記シンボル移行デイトに基づいて、φ０への移行の前記複数のデイトを係数Ｎで間引き、
間引くことから得られたφ０への移行のデイトに対応する複数の連続するシンボルの受信デイトを決定する、
ように構成された同期ユニット、
を有する、請求項１４に記載の変調された無線信号を受信する遠隔通信受信器。
【発明の詳細な説明】
【技術分野】
【０００１】
本発明は、変調信号の数値データの受信のデイト（日時）スタンピング方法に関する。
【０００２】
さらに、本発明は、変調無線信号を受信する遠隔通信受信器に関する。
【背景技術】
【０００３】
航空機（エアクラフト）又は宇宙船（スペースクラフト）の状況では、地上からそれらを空間的及び時間的に正確に位置特定できることが必要である。典型的に、測距技術においては、クラフトによって又は地上から放射されて地上の幾つかの遠隔ステーションで受信された信号の移動時間が測定される。
【０００４】
パルス測距、セミアクティブ測距、パッシブ相関測距といった、数多くの技術が存在する。精度要求は、信号が、即興で、十分な帯域幅で、ジッタ（信号揺らぎ）がなく放射され、且つ特徴的なマーカ（アクティブ又はセミアクティブな測距）を含むことを要求することが多い。このソリューションは、例えば特有の送信デバイスやスペクトル消費などのリソースに関して固有のコストを有する。
【０００５】
パッシブ測距技術の場合、遠隔通信信号の便乗的な使用が為されるが、この信号は常に存在するわけではなく（観測衛星又はＬＥＯ衛星）、大量のデータを別々に受信及び処理する必要がある。
【０００６】
また、図１に例示するように、制御ステーションで受信される無人クラフト１０（衛星、ドローンなど）上に常に存在する測距信号ＴＭを使用し、そして、それらのステーションの各々でそれにデイトスタンピングすることも可能である。故に、ステーション２０ＡでのＴＯＡ１、ステーション２０ＢでのＴＯＡ２といった、信号ＴＭの複数の異なる受信デイトが、クラフトとそれら複数の異なるステーションとの間の移動時間の差を計算すること、そして、例えば双曲線三辺測量によってそのクラフトを位置特定することを可能にする。
【０００７】
図２は、制御ステーションからの測距信号Ｓｔｍの受信器の典型的な構造を示しており、信号Ｓｔｍは、信号ＴＭのサンプリング及び非同期でのデジタル化の後に得られる。
【０００８】
受信器は、従来、シンボルストリームからシンボルを抽出するために使用される復調器／デマッパ（demodulator/demapper）ユニット４０と、ローカル発振器と搬送波との間での位相及び周波数分離の推定／補正（estimation/correction）ユニット５０と、シンボルレート及び位相の推定ユニット６０とを含む。この復調器は、受信器の入口でサンプリングされたものの間の信号Ｓｔｍを表すサンプルを合成することができるリサンプラ（re-sampler）３０によって先行される。従って、リサンプラ３０は、実効的なサンプリング周波数及び補間位相の使用を調整して、シンボルと同期して中間サンプルをリタイミングすることができる。
【０００９】
具体的には、最も高い信号対雑音比を持つシンボルを得るために、アイダイアグラムが最大に開くまさにその時に測距信号をサンプリングすることが重要である。この時間からのずれは、続く受信器ユニットによって見られる実効的な信号対雑音比（ＳＮＲ）と、シンボル間干渉（ＩＳＩ）とを大きく低減させることになる。
【００１０】
この従来構造は、受信器が外部基準クロック（ＧＰＳ型）に従属する（例えば、コスタスループ型）という条件で、マイクロ秒オーダーの精度での受信信号のデイトスタンピングを得ることを可能にする。
【００１１】
しかしながら、そのような受信器では、デイトスタンピングの精度を向上させることはできない。具体的には、先に見たように、リサンプラは、シンボルレートに関して最適な時間でリタイミングを実行し、それが、シンボルシーケンスのランダム性及び通過帯域内で受信されるノイズに関連する時間ベースのジッタを導入する。従って、このようなプロセスは、衛星測距信号の場合にマイクロ秒オーダーの、入力サンプリング周期に比例するかなりのジッタを発生する。
【００１２】
航空機又は宇宙船の位置特定の状況においては、この程度のデイトスタンピング精度では、適切な位置特定精度を可能にするのに十分でないことがわかっている（１キロメートル以上のオーダーの誤差）。
【００１３】
従って、そのような信号の受信のいっそう正確なデイトスタンピングを提供することができるように、測距信号受信器を改善する必要がある。
【発明の概要】
【００１４】
本発明の目的は、上述の従来技術の欠点を軽減することである。
【００１５】
特に、本発明の一目的は、搬送波又は副搬送波をコヒーレントに変調する信号のデジタルデータをデイトスタンピングし、そのような変調の特性を利用してそのデイトスタンピングを改善する方法を提供することである。
【００１６】
そのような方法は、有利には、パイロットシーケンス（既知パターン）のデイトスタンピングを非常に正確に補正することを可能にし、ビットの遷移のデイトスタンピングの不一致をかなり抑制し、とりわけ、そのような測距信号を放つ移動クラフトのいっそう良好な位置特定を可能にする。
【００１７】
本発明の他の一目的は、上記方法が既存の測距信号を使用することを可能にし、それ故に、距離測定を行うための別信号の放射を回避することである。
【００１８】
この方法はまた、地上で受信される所与のシーケンスの受信デイトに基づいてこれが行われ、且つその受信デイトが機上に送り返されるときに、高精度の時間基準を持たない衛星上での再同期の精度を高めることも可能にする。
【００１９】
これに関して、本発明の主題は、変調された信号のデジタルデータの受信のデイトスタンピングの方法であり、前記信号は、デジタル信号による搬送波又は副搬送波の変調から得られ、前記デジタル信号のシンボルレートは、前記搬送波又は副搬送波の周波数の整数の約数Ｎであり、当該方法は、遠隔通信受信器のプロセッサによって実行される以下のステップ、すなわち、前記変調された信号の受信及びサンプリングの後に、
−  前記変調された信号の複数のサンプルｓｍ（ｋ）を位相ループによってコヒーレント復調して、複数の復調されたサンプルｓｄｍ（ｋ）と再構成された搬送波の位相とを取得するステップと、
−  前記複数の復調されたサンプルｓｄｍ（ｋ）を、前記再構成された搬送波の同時位相φ（ｋ）と組み合わせるステップと、
−  前記再構成された搬送波の位相が所定の値φ０まで移行する複数のデイトを、前記搬送波がφ（ｋ）からφ０まで回転する間の時間オフセットに従って、少なくとも１つのサンプルｓｍ（ｋ）の受信のデイトに対して相対的に求めるステップと、
を含む。
【００２０】
オプションであるが、有利には、本発明に従った方法は更に、以下の特徴のうちの少なくとも１つを有し得る：
−  前記コヒーレント復調するステップは、
ａ．  位相検出器により、受信した信号の変調を消去する位相誤差を検出するサブステップと、
ｂ．  前記位相誤差をローパスフィルタリングするサブステップと、
有する；
−  φ０まで移行する前記複数のデイトを求めるステップにおいて、該デイトが、前記再構成された搬送波の位相のφ０への移行の直前又は直後にある前記変調された信号のサンプルｓｍ（ｋ）に対して計算される；
−  当該方法は更に、
・  φ０への遷移の前記複数のデイトの中から、前記デジタル信号のシンボルの移行の時間に対応するシンボル移行デイトを選択するステップと、
・  検出された前記シンボル移行デイトから始めて、φ０への移行の前記複数のデイトを係数Ｎで間引くステップと、
・  前記間引くことから得られたφ０への移行のデイトに対応する複数の連続するシンボルの受信デイトを決定するステップと、
を含む；
−  前記シンボル移行デイトを選択するステップは、前記信号の連続するＮ個のサンプルのウィンドウにわたって、前記復調されたサンプルｓｄｍ（ｋ）の積分Ｉ（ｎ）を行うサブステップを有する；
−  前記積分Ｉ（ｎ）を行うサブステップは、φ０への移行に対応する前記復調された信号の各サンプルｓｄｍ（ｋ）で始まるシンボルの持続時間にわたって実行される；
−  前記積分を行うサブステップはまた、
ｃ．  全てがｐモジュロＮの値を持つＮｓ個の値をとるｍについて、前記積分Ｉ（ｍ）の絶対値の平均値Ｍ（ｐ）の複数の連続したインデックスｐを計算することと
ｄ．  Ｍ（ｐ）を最大化するインデックスｐの、φ０への移行を選択することによって、前記シンボル移行デイトを決定することと、
を含む；
−  前記シンボル移行デイトで始まる前記積分Ｉ（ｎ）の値が、前記デジタル信号の前記対応するシンボルを与える；
−  前記検出されたシンボル移行に対して先行するφ０への移行にて計算されたＭの値Ｍ（ｎ−１）と、後続するφ０への移行にて計算されたＭの値Ｍ（ｎ＋１）との比較が、これらの値が実質的に等しくないが一方がＭ（ｎ）に実質的に等しい場合に、前記変調に関連する位相曖昧性を特徴付けることを可能にする；
−  前記位相曖昧性は、前記所定の移行位相φ０を別の値に修正することによって解消される；
−  当該方法はまた、前記シンボルをバイナリデータに復号することを含む；
−  当該方法はまた、シンボル移行デイトから始めて、バイナリデータフレームの所定のサイズに等しい係数Ｑによる第２の間引きを行うことを有するフレーム同期ステップと、該間引きから得られたφ０への移行のデイトに対応する複数の連続したフレームの受信デイトを決定するステップとを含む；及び
−  当前記フレーム同期ステップは更に、複数の連続したフレームの中から、決定されたパイロットシーケンスと最良の相関を有するフレームを選択するステップと、該選択したフレームの受信デイトを決定するステップとを含む。
【００２１】
さらに、本発明は、変調された無線信号を受信する遠隔通信受信器に関し、前記信号は、デジタル信号による搬送波又は副搬送波の変調から得られ、前記デジタル信号のシンボルレートは、前記搬送波又は副搬送波の周波数の整数の約数Ｎであり、当該遠隔通信受信器は、
−  変調ユニットであり、前記変調された信号の受信及びサンプリングの後に、
・  前記変調された信号の複数のサンプルｓｍ（ｋ）を位相ループによってコヒーレント復調して、複数の復調されたサンプルｓｄｍ（ｋ）と再構成された搬送波の位相とを取得し、
・  前記複数の復調されたサンプルｓｄｍ（ｋ）を、前記再構成された搬送波の同時位相φ（ｋ）と組み合わせ、
・  前記再構成された搬送波の位相の所定の値φ０まで移行の複数のデイトを、少なくとも１つのサンプルｓｍ（ｋ）の受信デイトに対して相対的に求める、
ように構成された変調ユニット、
を有する。
【００２２】
オプションであるが、有利には、本発明に従った遠隔通信受信器は更に、以下の特徴のうちの少なくとも１つを有することができる：
−  同期ユニット（１３０）であり、
・  φ０への遷移の前記複数のデイトの中から、前記デジタル信号のシンボルの移行の時間に対応するシンボル移行デイトを選択し、
・  検出された前記シンボル移行デイトに基づいて、φ０への移行の前記複数のデイトを係数Ｎで間引き、
・  間引くことから得られたφ０への移行のデイトに対応する複数の連続するシンボルの受信デイトを決定する、
ように構成された同期ユニット。
【００２３】
さらに、本発明は、前述の特徴の１つにて請求されるような方法及び／又は遠隔通信受信器を実装する宇宙船又は航空機の位置特定システムに関する。
【図面の簡単な説明】
【００２４】
非限定的な例として与えられる添付の図面を参照して、以下の詳細な説明を読むことで、本発明の他の特徴、目的、及び利点が明らかになる。
【図１】既に提示されており、従来技術の衛星測距システムを示している。
【図２】既に提示されており、従来技術の無線受信器を示している。
【図３Ａ】本発明に従った無線受信器によって実行されるデイトスタンピング方法の主なステップを示している。
【図３Ｂ】本発明に従った無線受信器１００を概略的に示している。
【図４】本発明に従った無線受信器１００の復調ユニット１２０を概略的に示している。
【図５】本発明に従った無線受信器１００の同期ユニット１３０を概略的に示している。
【図６】本発明に従った復調ユニット１２０によって実行される積分ステップを示している。
【図７】本発明に従った無線受信器１００の検出ユニット１４０を概略的に示している。
【発明を実施するための形態】
【００２５】
（宇宙データシステム諮問委員会：ＣＣＳＤＳに従って規定される）事実上の標準に従った衛星測距は、例えば位相変調（ＰＭ）、位相シフトキーイング（ＰＳＫ）、及び／又はパルスコード変調（ＰＣＭ）などの幾つかの方法に従って搬送波を変調することができる通常はバイナリ又は“ビット”のデジタルデータを送信する。全ての場合において、それは、ＰＳＫ搬送波のビットのコヒーレント変調を含み、これは、シンボルレートＲｓが、ＰＳＫ搬送波（又は副搬送波）周波数Ｆｐの、整数である約数Ｎである、と言うことに等しい。故に、このコンテキストにおいて、Ｆｐ＝Ｎ×Ｒｓである。
【００２６】
そして、典型的な測距システムは、１４００ビット／秒と３１２００ビット／秒との間のバイナリビットレートを含む。バイナリビットレートに対する搬送波の周波数Ｆｐの比は、典型的に４と１６との間である。
【００２７】
明細書の残りの部分において、用語“搬送波”は用語“副搬送波”で置き換えられることもできる。特に、変調された信号から見て、搬送波ＰＳＫはまた別の信号を変調することができるので、これらの用語間で区別する必要はない。故に、以下に記載される方法は、搬送波又は副搬送波に区別なく適用される。
【００２８】
図３Ａは、例えば衛星から到来する例えば測距信号などの無線信号を入力として受信する無線通信受信器１００によって実行される信号デイトスタンピング方法を例示している。
【００２９】
そのような無線受信器１００について、図３Ｂを参照して説明する。それは、
−  復調ユニット１２０と、
−  同期ユニット１３０と、
−  パイロットシーケンス検出ユニット１４０と、
を有する。
【００３０】
復調ユニット
受信器１００は、所定のサンプリングレートＦｅで前もってサンプリングされた測距信号ＴＭに相当する信号Ｓｔｍを受信する。
【００３１】
サンプリング周波数Ｆｅは、ローカルな時間基準にロックされることができ、これが意味することは、周期Ｔｅ＝１／Ｆｅが、誤差又はドリフトなしで完全に分かっているということである。従って、ｋを整数として、サンプリングデイトは正確にｋ＊Ｔｅである。
【００３２】
さらに、限定することなく認め得ることには、サンプリングは、ナイキスト条件に従い、故に、具体的にはＦｅ＞２Ｆｐに従い、これが意味することは、副搬送波又は搬送波の位相回転当たり少なくとも２つのサンプルを有するということである。
【００３３】
図４に示す受信器の復調ユニット１２０は、ステップＥ１１にて、複数のサンプルＳｍ（ｋ）を受信し、ここで、ｋは、０とＮｅ−１との間のインデックスであり、Ｎｅは、無線信号のその部分のサンプルの数を表し、サンプルのブロックを構成する。ユニット１２０は、サンプルのブロックのサンプルｋ（例えば、最初のもの）に所与のデイトＴｒｅｆを付す。このデイトＴｒｅｆは、受信器のローカルの時間基準に対して定められることができ、あるいは、ＧＰＳパルス（ＰＰＳ）に対するオフセット、外部の基準と同期したクロックのカウンタ（ＧＰＳの例で１０ＭＨｚ）などといった、受信器の外部の基準に従属する（そのスレーブである）ことができる。
【００３４】
受信器１００の復調ユニット１２０は、次いで、ステップＥ２１にて、受け付けた信号Ｓｍ（ｋ）のＳｄｍ（ｋ）への復調を実行する。復調ユニット１２０は、信号の信号対雑音比を最大化する適切なフィルタリングブロック１２１を有し得る。
【００３５】
復調ユニット１２０はまた、後に処理されるサンプルの数を減らすことを可能にする復調ユニット１２０のデシメータブロック１２２を有する。
【００３６】
ユニット１２０はまた、位相検出器ブロック１２３及びループフィルタブロック１２４によって受信信号Ｓｍ（ｋ）に対して実装される位相ロックループを有し、該ループに、例えばＮＣＯ（Numerically-Controlled  Oscillator、数値制御発振器）タイプの、発振器ブロック１２５によって生成される基準信号が従属する。
【００３７】
位相検出器ユニット１２３は、位相ロックループを制御する誤差信号を生成する。このようにデシメータブロック１２２の後に配置されて、位相検出器ユニット１２３は、ローカル発振器１２５によって生成される信号の位相と受信信号Ｓｍ（ｋ）の搬送波の位相との間の差を測定する。
【００３８】
変調された信号Ｓｍ（ｋ）の変調が、次数Ｎｅｔａｔの位相曖昧性を有する場合、位相検出器１２３は、その変調がとることができるＮｅｔａｔ位相値（整数ｐに対して２πｐ／Ｎｅｔａｔ）に対してゼロ誤差を供給しなければならない。位相検出器１２３の関数は、次数Ｎｅｔａｔの周期性を持ち、それは一般に、位相にＮｅｔａｔを乗算することによって得られる。
【００３９】
ループフィルタブロック１２４（一定の位相バイアスをキャンセルするために２次のものであることが多い）は、より良い信号を発振器ブロック１２５に供給するために、位相誤差信号をフィルタリングする。
【００４０】
図３Ａを再び参照するに、ステップＥ２２にて、ユニット１２０が、Ｔｒｅｆデイトと、復調されたサンプルＳｄｍ（ｋ）を発振器１２５によって再構成された搬送波の同時位相φ（ｋ）と組み合わせた複数のペアとを、同期ユニット１３０に送信する。
【００４１】
有利なことに、この供給、すなわち、各サンプルと組み合わされた再構成された位相の供給は、デイトスタンプを精緻化することを可能にする。
【００４２】
特定の一実施形態において、ステップＥ２２で、例えばバッファ領域などのメモリ領域１２６が、説明した複数のＳｄｍ（ｋ）、φ（ｋ）ペアと組み合わせてデイトＴｒｅｆを格納する。
【００４３】
有利なことに、Ｔｒｅｆを知ることは、このストレージ領域内の各ペアＳｄｍ（ｋ）、φ（ｋ）の正確なデイトを知ることを可能にする。何故なら、これらのサンプルは、完全に分かっている周期Ｔｅだけ離間しているからである。
【００４４】
そして、メモリ領域１２６が、同期ユニット１３０に送信される。
【００４５】
従って、この段階で、受信器１００は、その搬送波位相が、エミッタによって送信された信号に対して完全に知らされた、デイトスタンプ付きサンプルを廃棄する。
【００４６】
同期ユニット（デイトスタンピング）
同期ユニット１３０は、入力として、ユニット１２０を出るメモリ領域１２６を受信する。
【００４７】
従って、図５に示すように、積分ブロック１３１が、その入力で、例えばメモリ領域１２６を介して、再構成された搬送波の位相φ（ｋ）が付随した復調サンプルＳｄｍ（ｋ）と、デイトスタンピングＴｒｅｆとを受信する。その後、Ｔｒｅｆはｋ＝０に対して規定された時間であると考えられ、ｋはメモリ領域のサンプルのインデックスを指す。
【００４８】
図６を参照して、複数のサンプルｋにサンプリングされたシンボルを説明する。シンボルあたり幾つかの搬送波周期Ｓｃｆが存在し、搬送波周期Ｓｃｆあたり幾つかのサンプルが存在する。従って、Ｓｃｆ（ｎ）は搬送波のｎ番目の周期を表す。シンボルの変調はＰＳＫ搬送波とコヒーレントであり、シンボルレートＲｓはＦｐ＝Ｎ×Ｒｓと表されるＰＳＫ搬送波周波数の整数の約数であり、従って、シンボルはそのＮ周期にわたって搬送波を変調する。
【００４９】
従って、各シンボルは、１つの同じ所定の値φ０への位相のＮ回の移行のうちの１つで始まる。この所定の値φ０は、（必ずしもそうであるわけではないが）原理的にはゼロに近く、本明細書の残りの部分では、再構成された搬送波の位相φ（ｋ）の“ゼロ／０への移行”と呼ぶ。
【００５０】
ステップＥ３０にて、再構成された搬送波の位相φ（ｋ）が付随した複数の復調されたサンプルＳｄｍ（ｋ）が処理され、搬送波の周期の関数として受信されたサンプルのセットｋが決定される。
【００５１】
従って、Ｅ３０のサブステップＥ３１にて、同期ブロック１３１は、位相φ（ｋ）の０への移行（φ０モジュロ２π）を検出することによって、再構成された搬送波信号のゼロへの移行を検出する。時間Ｔ（ｎ）は、位相０への搬送波のｎ番目の移行の時間であり、その間にわたって信号ｓｄｍ（ｋ）が積分されることになる搬送波の周期ｎは、時間Ｔ（ｎ）と時間Ｔ（ｎ＋１）の間で規定される。
【００５２】
０への各移行（φ０モジュロ２π）で、積分ブロック１３１は、搬送波の周期ｎにわたって信号Ｓｄｍ（ｋ）の積分を実行する。０への次の移行にて、周期ｎ＋１が始まり、積分ブロック１３１は積分計算を初期化し直してそれを０にリセットし、先行する積分の結果Ｓ（ｎ）が、出力として、並列動作する複数の加算ブロック１３２に同時に送達される。
【００５３】
Ｅ３０のサブステップＥ３１にて、各出力Ｓ（ｎ）が更に、例えば、ラジアン単位で計算される位相に対して有効な以式：Ｔ（ｎ）＝Ｔｋ＋Δφｋ／２πＦｐ＝Ｔｒｅｆ＋ｋ（ｎ）＊Ｔｅ−［φ（ｋ（ｎ））−φ０］／２πＦｐに従って、ｋ番目のサンプルのデイトの外挿によって得られるデイトスタンプと組み合わされる。ｋ（ｎ）は、再構成された位相の０への移行に続くものとして指定されるサンプルｋのインデックスに相当する。
【００５４】
［φ（ｋ）−φ０］／２πＦｐの値を持つＴ（ｎ）の補正項は、インデックスｋのサンプルを有する搬送波の位相のゼロへの移行を隔てる正確な期間を計算するものであり、Ｔ（ｎ）はそれ故に、シンボルの開始時間に対応する可能性が高いゼロへの移行を正確にデイト付ける。
【００５５】
あるいは、ｋは、再構成された位相のゼロへの移行に先行するサンプルのインデックスを表してもよく、その場合、Ｔ（ｎ）のデイトスタンピングは、Ｔ（ｎ）＝Ｔｋ＋（２π−Δφｋ）／２πＦｐ＝Ｔｒｅｆ＋ｋ（ｎ）＊Ｔｅ＋［２π＋φ０−φ（ｋ（ｎ））］／２πＦｐとなる。
【００５６】
なお、ここで、位相のゼロへの移行は、φ（ｋ（ｎ））∈［−π＋φ０，φ０］且つφ（ｋ（ｎ）＋１）∈［φ０，＋π＋φ０］に対応し、これは必然的に、回転ごとに解を持つ。何故なら回転あたり少なくとも２つのサンプルがあるからである。従って、この間隔内で取られる位相値は、最も近い２πについて曖昧さがない。
【００５７】
また、代わりに、サンプル間で次式：
Ｔ（ｎ）＝Ｔｋ＋Δφｋ／（φｋ＋１−φｋ）Ｔｅ＝Ｔｒｅｆ＋［ｋ（ｎ）＋（φ０−φｋ）／（φｋ＋１−φｋ）］＊Ｔｅ
の補間を使用することができる。
【００５８】
この後者の式は、Ｆｐの公称値が使用される場合に、前の式よりも少し正確である。しかしながら、ＦｐがＮＣＯの実際の瞬時制御値をとる場合、これらは等価である。何故なら、（φｋ＋１−φｋ）＝２πＦｐ＊Ｔｅであるからである。
【００５９】
従来の復調装置は、再構成された位相の値を使用しておらず、従って、０への移行を精緻にデイトスタンプしておらず、このタイプの装置に付き物であるジッタ（位相ノイズ）を付加することによるタイミングリカバリループによってレートを同期させてきた。
【００６０】
提案する装置は、シンボルを検出するために信号の積分を実行するが、従来の復調器とは異なり、それを、シンボル間の移行の時間を決定する前に行う。
【００６１】
具体的には、Ｅ３０のサブステップＥ３２の一実施形態において、Ｎ個の加算ブロック１３２が、次のシンボル積分関数：
【数１】
2021535682.tif 000003
により、ブロック１３１によって出力されるＮ個のサンプル（すなわち、１つのシンボル）Ｓ（ｎ）のウィンドウにわたって並列に積分を実行する。ここで、０≦ｐ≦Ｎ−１は、エンティティ１３２の番号を表す。
【００６２】
各ブロック１３２は、１搬送波周期だけオフセットされた積分を実行する。複数のブロック１３２は、１つのシンボル周期にわたってスライディング積分を実行することを可能にし、従って、シンボルの決定のために取り得る全てのケースをカバーする。
【００６３】
他の実施形態は、これらが全て記録される限りにおいて、これらＮ個の積分を順次に計算してもよい。
【００６４】
ブロック１３２から来る並列積分のこれらＮ個のウィンドウＩｐ（ｍ）は、単一のシンボルをカバーし、従って、Ｎ個の連続した可能なものの中で搬送波位相の０への移行にて必然的に始まる、Ｎ個の連続サンプルＳ（ｎ）のブロック、を決定するための基準を提供するために使用される。送信されたシンボル遷移の時間に対応する副搬送波の位相のゼロへの移行のこの決定は、本明細書の残りの部分において、シンボル開始曖昧性解消として知られることになる。
【００６５】
さらに、同じ値の幾つかの連続的に送信されるシンボルが存在してもよい。しかし、シンボルの正しい開始期間を決定するためには、シンボル遷移を観察しなければならない。
【００６６】
従って、ステップＥ３３にて、ブロック１３が、シンボル開始曖昧性解消を実行し、そして、シンボル遷移に対応する搬送波のゼロへの正しい移行ｐｏｐｔを選択した後に、正しい出力Ｉｐｏｐｔ（ｍ）を選択する。
【００６７】
これを行うために、Ｎｓ個のシンボルの期間（以下、Ｍ（ｐ）と表記する）にわたってｍについてＩｐ（ｍ）の絶対値の平均を計算し、０からＮ−１にわたるｐについてこの値を最大化する１つを保持し、それをｐｏｐｔと表記する。長さＮｓは、ＳＮＲ及びシンボルレートの関数として事前に決められる。
【００６８】
ブロック１３３がインデックスｐｏｐｔの正しい出力を見つけている限り、後者は、（副）搬送波が同期したままである限り、すなわち、完全なままの信号に位相ロックループがロックされている限り、妥当なままである。
【００６９】
従って、これ以降、ブロック１３３は、Ｎだけサンプルの事実上の間引きを行い、インデックスｐｏｐｔのブロック１３２のみが動作に必要なままとなる。そうとはいえ、一実施形態では、正確なシンボル同期を確かなものとするために、通常通りに全てのブロック１３２がアクティブにされる。
【００７０】
モジュール１３３はまた、積分計算をリタイミングして、それをシンボル遷移とコヒーレントにするために、ブロック１３１で実行される積分の２つの状態、及びより一般的には１／Ｎｅｔａｔ、を有する変調の好適実施形態のコンテキストにおいて、搬送波の半周期の可能なオフセットを検出する。
【００７１】
具体的には、受信信号の（副）搬送波の位相を有する幾つかの可能な位相分離値を、復元された搬送波が有することが起こり得る。これが、位相曖昧性現象として知られるものである。使用される変調が何であれ、変調の状態の数をＮｅｔａｔであるとすると、搬送波は、２π／Ｎｅｔａｔの位相曖昧性を有して復元され、これが意味することは、実際には、ｐが０とＮｅｔａｔ−１との間の整数値をとるとして、φ０＝２πｐ／Ｎｅｔａｔであるということである。
【００７２】
この曖昧性は、上述したように、変調の位相状態に対してゼロ値を届けることによって変調を消去する搬送波位相検出ブロック１２３に由来する。最も一般的に使用される方法は、モジュロ２π信号の位相にＮｅｔａｔを乗算することによって搬送波位相を抽出するものであり、それが、モジュロ２π／Ｎｅｔａｔの曖昧性をもたらす。
【００７３】
従って、２つの位相状態を有する変調の場合、上で規定された値Ｍ（ｐ）が１搬送波周期にわたって正しい半周期から始まって計算される場合、Ｍ（ｐ−１）は近似的に、Ｍ（ｐ＋１）±雑音に等しく、厳密にはＭ（ｐ）はこれらの２つの値より大きい。
【００７４】
逆のケースで、積分が正しくない半周期にわたって行われる場合、搬送波の正しい位相位置の前の１半周期の位置及び後の１半周期の位置でピークが共有されるので、Ｍ（ｐ）は近似的にＭ（ｐ−１）又はＭ（ｐ＋１）に等しい。
【００７５】
半周期の曖昧さを解消するために、好適な一実施形態において、モジュール１３３は、閾値Ｓ０＝（Ｍ（ｐモジュロＮ）＋ｍｉｎ（Ｍ（（ｐ−１）モジュロＮ），Ｍ（（ｐ＋１）モジュロＮ）））／２を計算する。そして、モジュール１３３は、Ｍ（ｐモジュロＮ）、Ｍ（（ｐ−１）モジュロＮ）、Ｍ（（ｐ＋１）モジュロＮ）の中から、この閾値よりも高い値の数をカウントする。
【００７６】
閾値Ｓ０よりも高い値が存在しない場合、シンボルの積分が正しい半周期にわたって計算され、最大振幅のものとなる。
【００７７】
逆のケースでは、積分が正しくない半期間にわたって行われてしまっている。この場合、積分を１半周期だけずらす必要がある。
【００７８】
従って、ブロック１３３は、正しい半周期を割り出し、この情報をブロック１３１に提供し、その結果、ブロック１３１が、位相φ（ｋ）の０への又はπへの（実際にはφ０＋πへの）移行を、開始半周期のセレクタの関数として検出する。
【００７９】
ブロック１３３はその出力上で、インデックスｉの各シンボルに対して、Ｎだけ間引かれた搬送波のレートに対応するレートで、一対のデータ（Ｉ（ｉ）、Ｔｍ（ｉ））を提供する。Ｉ（ｉ）は、先行するステップで選択された最大振幅Ｉ（ｐｏｐｔ）の積分であり、Ｔｍ（ｉ）はＴ（ｐｏｐｔ）である。代わりに、Ｔ（ｉ）は、使用されるデイトスタンピングの技法に従ってシンボル内の中間の場所又は別の所定の場所を指し示すように一定の期間だけオフセットされ、ｐｏｐｔの周りの一定の時間インターバルにわたって平均されたデイトであってもよい。
【００８０】
この対のデータが、検出ユニット１４０に提供される。
【００８１】
シンボル遷移に対する搬送波のサイクルオフセット及び半サイクルオフセットについての情報は、セレクタブロック１３３によって決定され、同期ユニット１３０によるデータペアの計算を初期化する目的でブロック１３１に戻される。この情報はまた、同期ユニット１３０によるデータペアの計算をチェックする目的で、定期的なインターバルで再び決定されることができる。
【００８２】
位相曖昧性が２より大きい次数のものである場合、上で示したアルゴリズムを幾分変更することが適切である。一般的な方法は、検討中の変調に関する標準的なタイミングリカバリループで使用されるシンボル同期基準を、ゼロへの移行のＮ個の可能な位置で計算し、そして、この基準を最大化する１つを選択することを含む。例えば、４状態に対するＣｏｓｔａｓループにおいて、周波数の複素数への変換が復調ユニット１２０で実行され、そして、基準は、同相のチャネルＩ及び直交するチャネルＱ上で一度に計算されるＭ（ｎ）の最大値となる。
【００８３】
この段階で、受信器１００は、従って、決定されるべき（復号及び間引きの前の）未加工シンボルの値に対応する積分値Ｉ（ｐ）を廃棄し、該値は、シンボルを開始する搬送波の位相のゼロへの移行の時間のデイトスタンピングと組み合わされている。
【００８４】
有利なことに、このデイトスタンピングは、従来のレート同期アルゴリズムによって得られるものよりも正確である。何故なら、後者は、信号のサンプリングレートとシンボルレートとの間の本質的な非同期性に関係するジッタを導入するからである。
【００８５】
検出ユニット１４０
図７に示すパイロットシーケンス検出ユニット１４０は、そのシーケンスの第１のシンボル又は任意の他の所定のシンボルを検出してデイトスタンピングすることを可能にする。このパイロットシーケンスは、同期ワード又は例えば純音として一般的に知られる、符号化された又はその他のシンボルのシーケンスとすることができる。
【００８６】
ステップＥ４０にて、ユニット１３０から受信されたデータペア（Ｉ（ｉ）、Ｔｍ（ｉ））が、ソフト／ハード復号によって各選択された合計Ｉ（ｉ）を復号するために処理され、少なくとも１つの最も可能性の高いバイナリ値が推定される。ハード復号は、固定の数えられる一組の値（例えば、０及び１）をとるデータを処理するために使用され、ソフト復号は、一般に尤度を表すある範囲内の値で規定されるデータを処理する。
【００８７】
従って、Ｅ４０のサブステップＥ４１にて、ユニット１３０から受信されたデータのペア（Ｉ（ｉ）、Ｔｍ（ｉ））が、ユニット１４０の確率推定ブロック１４１によって処理され、確率推定ブロック１４１が、ステップＥ４１において、その出力で、Ｉ（ｎ）が１又は０に等しい確率を提示する。確率推定ユニット１４１は、例えばスライサ回路タイプのものである。次いで、その確率が、Ｅ４０のサブステップＥ４３にて、復号ユニット１４２により、使用されたチャネル符号化（ターボエンコーディング、ＬＤＰＣ、ビタビ、リードソロモンなど）に従って処理される。
【００８８】
検出ユニット１４０はまた、Ｅ４０のサブステップＥ４３にて、信号Ｓｔｍを変調するシンボルシーケンスが伝送チャネルに対する誤り訂正エンコーディングから来るものでない場合に、Ｉ（ｉ）を直接処理することを可能にする。
【００８９】
このコンテキストにおいて、決定ブロック１４３は、Ｉ（ｉ）を閾値と比較することによって、放たれたシンボルの値を決定する。例えば、シンボルがビットであるバイナリエンコーディングで、Ｉ（ｉ）が負である場合、結合されるビットは０に等しく、逆の場合には１に等しい（ハードビット復号）。
【００９０】
このチャネルエンコーディングが存在するか否かに応じて、選択ブロック１４４が、ステップＥ４４にて、復号済みの信号又は未復号の信号のいずれかをフレーム同期ブロック１４５に提供する。
【００９１】
ステップＥ４５にて、フレーム同期ブロック１４５はまた、所与の長さのフレーム内でＱビットを検出するように予め定められたパイロットシーケンスを検出するように構成される。従来、この検出は、期待されるパイロットシーケンスとのビットシーケンスの相関のスライディング計算を実行することによって行われ、検出基準は、この相関の絶対値を最大にするのかどれかというものである。
【００９２】
従って、フレーム同期ブロック１４５は、Ｑビット毎にパイロットシーケンスを検出する。検出した場合、ユニット１４０は、その出力上で、検出したシーケンスの第１ビットＢ（ｑ）のデイトＴｍ（ｑｔ）であるＴｈｅａｄ（ｊ）を提示することができる。
【００９３】
ステップＥ４６にて、パケット生成ブロック１４６が、このデータを受け取り、次いで、デイトＴｈｅａｄ（ｊ）、及びパケット識別子Ｉｄ（ｊ）（例えば、フレームカウンタ番号）を含むメッセージを生成することができる。パケット識別子Ｉｄ（ｊ）は、別々の受信ステーションによって生成されるパケット間での共通のリファレンスとして機能する。
【００９４】
このパケットが制御センターに送られ、制御センターは、この情報に基づいて、例えば、少なくとも２つの測距信号受信ステーションによって送信された同じ識別子Ｉｄ（ｎ）を持つパケットのデイトを比較することによって、例えば三辺測量により、移動機の位置を決定することができる。
【００９５】
無線信号受信器１００及び提案する方法は、コヒーレント変調を利用することによって、例えば、タイミングリカバリループを使用して、サンプルと搬送波位相との間のコヒーレンスを処理全体にわたって維持することで、もはや信号を再サンプリングしないようにすることを可能にする。有利なことに、このような受信器１００／方法は、パイロットシーケンスのデイトスタンピングを高精度に測定することを可能にし、そして、シンボル遷移のデイトスタンピングの不一致をかなり改善して、とりわけ、そのような測距信号を発する移動機のいっそう良好な位置特定を可能にする。従って、このような受信器１００／方法の実装は、ナノ秒のオーダーの、及びそれ故に、ＧＰＳのそれよりも１桁小さい標準偏差（時間基準を完璧とみなす）を達成することを可能にする。
【図１】
2021535682.tif 000004
【図２】
2021535682.tif 000005
【図３Ａ】
2021535682.tif 000006
【図３Ｂ】
2021535682.tif 000007
【図４】
2021535682.tif 000008
【図５】
2021535682.tif 000009
【図６】
2021535682.tif 000010
【図７】
2021535682.tif 000011
【国際調査報告】
2021535682.tif 000012
2021535682.tif 000013
2021535682.tif 000014
2021535682.tif 000015